(57)【要約】      （修正有）【課題】折り立て状態において床板を勝手に伸展させることができない壁面収納舞台の収納保持装置を提供する。【解決手段】床板を直立させる様に折り立て変形可能な舞台において、舞台の格納庫収納状態で格納庫の側壁に隣接する最外側の後端束柱３の車輪3bの車軸22を円筒状に設け、車軸22の中空部22ａに中空部22ａより長い支軸23を摺動自在に挿通し、支軸23は中空部22ａの外側開口部からの突出長さが中空部22ａの内側開口部から突出する支軸23の適所に中空部22ａ口径より外方に突設した抜止め部材24にて規定され、舞台の格納庫収納状態で、支軸23の外側端部23ａに設けた抜止め鍔23ｂを中空部22ａの外側開口部端面に当止めした時に、中空部22ａの内側開口部より最長突出した支軸23の内側端部23ｃが直交係止する垂直板状の支軸受け部25を前端束柱側適所より後端束柱３側へ向かって突設する構成とした。【選択図】図１３
2019094715.tif 000002
【特許請求の範囲】
【請求項１】
壁に凹設された格納庫の床面上に直立固定した前端束柱と、該前端束柱と同一高にして、前後動可能に車輪を設けた後端束柱とを対向配置し、前端及び後端束柱の上部には水平状態と直立状態に俯仰可能な前方及び後方大引の基端を枢着すると共に、前方及び後方大引を連結部を介して屈伸可能に連結することにより、前方及び後方大引を水平に伸展させることで前方及び後方大引上に床板を水平配置した舞台に変形させ、伸展状態の前方及び後方大引を二つ折りに屈曲させた床板の直立状態で格納庫内に収容可能と成した壁面収納舞台において、当該舞台の格納庫収納状態で格納庫の側壁に隣接する最外側の後端束柱の車輪の車軸を円筒状に設け、該車軸の中空部に該中空部より長い支軸を摺動自在に挿通し、該支軸は中空部の外側開口部からの突出長さが中空部の内側開口部から突出する支軸適所に中空部口径より中空部口径より外方突設した抜止め部材にて規定され、前記舞台の格納庫収納状態で、支軸の外側端部に設けた抜止め鍔を中空部の外側開口部端面に当止めした時に、中空部の内側開口部より最長突出した支軸の内側端部が直交係止する垂直板状の支軸受け部を前端束柱側適所より後端束柱側へ向かって突設したことを特徴とする壁面収納舞台の収納保持装置。
【請求項２】
支軸受け部は、上下揺動自在に設けられると共に、無負荷状態で水平に支持される様に設定され、支軸との直交係止箇所に下方開口した凹欠部を形成し、先端には、上記舞台の格納庫収納時に中空部の内側開口部より最長突出させた支軸の内側端部が後端束柱の前進に伴って押圧摺動可能と成す様に基端へ向かって下り傾斜した斜辺を設けたことを特徴とする請求項１記載の壁面収納舞台の収納保持装置。
【請求項３】
支軸受け部の水平支持手段は、支軸受け部の揺動支点下方に床面に接地可能に設けた支持脚から成ることを特徴とする請求項２記載の壁面収納舞台の収納保持装置。
【発明の詳細な説明】
【技術分野】
【０００１】
本発明は、壁に凹設された格納庫内に直立状態で収納される壁面収納舞台の収納保持装置に関する。
【背景技術】
【０００２】
従来から体育館や各種ホール等で設置される舞台としては、不使用時に場所の有効利用を図るため床板を起立変形して壁に凹設された格納庫に直立収納できる壁面収納舞台が見受けられる（例えば特許文献１参照）。
【０００３】
この壁面収納舞台は、床板を二分した中央連結部における昇降脚と、格納庫内に立設した固定前脚と車輪付き後脚によって床板の水平状態を支持し、格納庫内前方に電動ワイヤウィンチを設置してワイヤを昇降脚下部に備えたアイドルローラの下に連繋通過させると共にその先端を後脚に連結し、前記ウィンチによるワイヤの巻取り操作で昇降脚を上昇させて床板を折り立て変形させて舞台を格納庫に収納する様に成している。
【０００４】
ところが、特許文献１で開示された壁面収納舞台の様に、ウインチ装置を用いると、設備費が高くなると共に、その保守も必要となって維持が面倒で手間を要するので、特許文献２に開示される壁面収納舞台では、舞台の束柱において、床板の基端枢軸より下方には、床板の折り立て状態で無負荷状態の圧縮コイルバネを外嵌すると共に、該圧縮コイルバネの一端を当止め支持するバネ受けを基端側に設けたバネ支持杆の基端を床板の俯仰方向に揺動自在に枢着し、無負荷状態の前記圧縮コイルバネの他端に当接してバネ支持杆の先端側を遊嵌するバネ押えを床板の適所に固定する様に構成している。
【０００５】
かかる構成により、床板の折り立て変形時には、床板の伸展時に圧縮状態にある圧縮コイルバネを床板の折り立て方向へ付勢させられ、かかる圧縮コイルバネの付勢力によって重い床板の折り立て方向に持ち上げようとする力を助勢し、軽い力で舞台を円滑に折り立て変形させられ、一方床板を伸展させる場合には、圧縮コイルバネの付勢力に抗してこれを徐々に圧縮させるため、床板が急激に伸展して舞台設置面に衝撃を生じさせることなく、安全に舞台に変形させることができる。
【先行技術文献】
【特許文献】
【０００６】
【特許文献１】実用新案登録第２５１５９７４号公報
【特許文献２】特許第５８６０８２６号公報
【発明の概要】
【発明が解決しようとする課題】
【０００７】
ところで、ウインチ装置を用いた壁面収納舞台（特許文献１参照）では、床板の折り立て状態でワイヤを巻き取ることにより床板の折り立て状態を維持しており、ウインチ装置を作動させてワイヤを繰り出さない限り、床板を伸展させることはできないが、特許文献２の壁面収納舞台では、床板の折り立て状態を特許文献１のウインチ装置で強制的に保持する構成でないため、圧縮コイルバネの付勢力に抗する相当な力を初動時に必要とはいえ、床板を用もなく勝手に伸展させることができ、安全性において充分でないといった課題を有している。
そこで、本発明では、折り立て状態において床板を勝手に伸展させることができない壁面収納舞台の収納保持装置を提供することを目的としている。
【課題を解決するための手段】
【０００８】
上記課題に鑑み、本発明の壁面収納舞台の収納保持装置は、壁に凹設された格納庫の床面上に直立固定した前端束柱と、該前端束柱と同一高にして、前後動可能に車輪を設けた後端束柱とを対向配置し、前端及び後端束柱の上部には水平状態と直立状態に俯仰可能な前方及び後方大引の基端を枢着すると共に、前方及び後方大引を連結部を介して屈伸可能に連結することにより、前方及び後方大引を水平に伸展させることで前方及び後方大引上に床板を水平配置した舞台に変形させ、伸展状態の前方及び後方大引を二つ折りに屈曲させた床板の直立状態で格納庫内に収容可能と成した壁面収納舞台において、当該舞台の格納庫収納状態で格納庫の側壁に隣接する最外側の後端束柱の車輪の車軸を円筒状に設け、該車軸の中空部に該中空部より長い支軸を摺動自在に挿通し、該支軸は中空部の外側開口部からの突出長さが中空部の内側開口部から突出する支軸適所に中空部口径より外方突設した抜止め部材にて規定され、前記舞台の格納庫収納状態で、支軸の外側端部に設けた抜止め鍔を中空部の外側開口部端面に当止めした時に、中空部の内側開口部より最長突出した支軸の内側端部が直交係止する垂直板状の支軸受け部を前端束柱側適所より後端束柱側へ向かって突設したことを特徴とする。
又、支軸受け部は、上下揺動自在に設けられると共に、無負荷状態で水平に支持される様に設定され、支軸との直交係止箇所に下方開口した凹欠部を形成し、先端には、上記舞台の格納庫収納時に中空部の内側開口部より最長突出させた支軸の内側端部が後端束柱の前進に伴って押圧摺動可能と成す様に基端へ向かって下り傾斜した斜辺を設けたことを特徴とする。
そして、支軸受け部の水平支持手段は、支軸受け部の揺動支点下方に床面に接地可能に設けた支持脚から成ることを特徴とする。
【発明の効果】
【０００９】
要するに本発明は、前方及び後方大引を水平に伸展させることで前方及び後方大引上に床板を水平配置した舞台に変形させ、伸展状態の前方及び後方大引を二つ折りに屈曲させた床板の直立状態で格納庫内に収容可能と成した壁面収納舞台において、当該舞台の格納庫収納状態で格納庫の側壁に隣接する最外側の後端束柱の車輪を円筒状に設け、該車軸の中空部に該中空部より長い支軸を摺動自在に挿通し、該支軸は中空部の外側開口部からの突出長さが中空部の内側開口部から突出する支軸適所に中空部口径より外方突設した抜止め部材にて規定され、前記舞台の格納庫収納状態で、支軸の外側端部に設けた抜止め鍔を中空部の外側開口部端面に当止めした時に、中空部の内側開口部より最長突出した支軸の内側端部が直交係止する垂直板状の支軸受け部を前端束柱側適所より後端束柱へ向かって突設したので、前記舞台の格納庫収納状態で、抜止め鍔が中空部の外側開口部端面で当止めされる様にして、車軸の内側開口部より最長突出した支軸内側端部を前端束柱側適所より後端束柱側へ向かって突設した支軸受け部に直交係止することにより、格納庫に固定された前端束柱側（連結部の前方に配置される前記舞台の前方構成部材）に、移動側の後端束柱側（連結部の後方に配置される前記舞台の後方構成部材）を繋留でき、前記舞台の格納庫収納状態での後端束柱（舞台後方構成部材）の移動を抑止できる。
そして、支軸内側端部の支軸受け部に対する直交係止状態を解除する様に、抜止め部材が中空部の内側開口部端面に当止めされるまで支軸を外側へ引き出し、支軸受け部から支軸内側端部を離脱させて上記抑止を解除すると共に、支軸の中空部の外側開口部から規定長さの支軸外側端部を突出させ、該支軸外側端部に舞台伸展用の手鉤を掛止して引き出すことにより、容易に舞台を伸展させることができ、舞台変形後は支軸外側端部を再度内側へ押し込めば邪魔にならない。
【００１０】
又、支軸受け部は、上下揺動自在に設けられると共に、無負荷状態で水平に支持される様に設定され、支軸との直交係止箇所に下方開口した凹欠部を形成し、先端には、上記舞台の格納庫収納時に中空部の内側開口部より最長突出させた支軸の内側端部が後端束柱の前進に伴って押圧摺動可能と成す様に基端へ向かって下り傾斜した斜辺を設けたので、壁面収納舞台の舞台変形状態で支軸を内側へ押し込み、その内側端部を中空部の内側開口部より最長突出させたままで前記舞台を格納庫収納のために変形させると、支軸内側端部が支軸受け部に向かって前進し、前記舞台の収納変形が完了する時には、支軸内側端部が支軸受け部先端の斜辺に触突し、該斜辺を押圧摺動しながらも前進することで支軸受け部を上方揺動させ、支軸内側端部が凹欠部に位置対応すると、支軸内側端部の押圧摺動で上方揺動していた支軸受け部が下方へ揺動し、支軸受け部は水平に復帰して凹欠部内に存する支軸内側端部と直交係止する。
これにより、上記と同様に格納庫に固定された上記舞台の前方構成部材に、その後方構成部材を繋留でき、舞台格納庫収納状態での舞台後方構成部材の移動を抑止でき、舞台変形時には、支軸外側端部を突出させてこれに専用の手鉤を掛止して引き出すことにより、容易に舞台を伸展させられ、その変形後は支軸外側端部を再度内側へ押し込めば良い。
【００１１】
そして、支軸受け部の水平支持手段は、支軸受け部の揺動支点下方に床面に接地可能に設けた支持脚から成るので、上記の様に支軸内側端部による支軸受け部斜辺の押圧摺動で上方揺動する支軸受け部は支持脚が床面に接地することで水平に復帰でき、選定、調整、や取付け等が面倒なバネ等の付勢手段を必要としない簡単な構成とすることができる等その実用的効果甚だ大である。
【図面の簡単な説明】
【００１２】
【図１】壁面収納舞台の側面図である。
【図２】床板及び根太を省略した平面図である。
【図３】図１の前方拡大図である。
【図４】図１の後方拡大図である。
【図５】図２のＡ−Ａ断面図である。
【図６】図３のＢ−Ｂ断面図である。
【図７】図４のＣ−Ｃ断面図である。
【図８】変形中の舞台の側面図である。
【図９】壁面収納状態を示す舞台の側面図である。
【図１０】壁面収納舞台の収納変形直前の収納保持装置を示す平面図である。
【図１１】図10のＤ−Ｄ断面図である。
【図１２】舞台収納状態の収納保持装置を示す同上断面図である。
【図１３】同上平面図である。
【図１４】支軸の外側端部を突出させた状態を示す平面図である。
【図１５】舞台伸展用の手鉤の斜視図である。
【発明を実施するための形態】
【００１３】
以下本発明の実施の一形態例を図面に基づいて説明する。
図に示す壁面収納舞台１（以下、単に舞台１とも称する。）は、舞台設置室Ｒの壁Ｗに凹設された格納庫Ｈに折り立て変形して収納可能と成すものにして、格納庫Ｈの床面ｆ上にアンカーボルトにて直立固定した前端束柱２と、該前端束柱２と同一高にして、前後動可能に車輪3bを設けた後端束柱３とを対向配置し、前端及び後端束柱２、３の上部には水平状態と直立状態に俯仰可能な前方及び後方大引４、５の基端を枢着すると共に、前方及び後方大引４、５を連結部６を介して屈伸可能に連結することにより、前方及び後方大引４、５を水平に伸展させることで前方及び後方大引４、５上に床板７、８を水平配置した舞台に変形させ、伸展状態の前方及び後方大引４、５を二つ折りに屈曲させた床板７、８の直立状態で格納庫Ｈ内に収容可能と成している。
【００１４】
図２に示す様に、前端及び後端束柱２、３（以下、束柱２、３とも称する。）は、横手（左右）方向に所定間隔を置いて６本を起立配置し、前後で対応する束柱２、３は左右方向で平行に（食い違い）配置し、隣接する前端束柱２同士及び後端束柱３同士は、その上中下段が縛貫９、9a、9bで連結され、該縛貫９、9a、9bは前端及び後端束柱２、３に一体と成している（図２、６、７参照）。
尚、左右側縁の後端束柱３の後端面間に左右方向に長い帯状の幕板3cを架設している。
【００１５】
又、束柱２、３の中間にして、後端束柱３の真正面には中間束柱10を６本起立配置しており、隣接する中間束柱10同士は、その上下段が縛貫11、11ａで一体連結されている（図２、５参照）。
そして、前端束柱２の下段縛貫9bと中間束柱10の下段縛貫11ａ、及び後端束柱３の下段縛貫9bと中間束柱10の下段縛貫11ａとは、所定間隔置きに夫々が４本の連接杆12にて枢着連結されている。
【００１６】
又、前端束柱２に枢着した前方大引４（以下、大引４とも称する。）よりも後端束柱３に枢着した後方大引５（以下、大引５とも称する。）を長く設定している。
【００１７】
これにより、前端及び後方大引４、５の水平状態では、前端及び後端束柱２、３の内向面2a、3aの上部に対し直角に突出し、垂直状態で前端及び後端束柱２、３の上端面上に直立する様に成している。
そして、前方大引４の先端と、該先端に相当する後方大引５の先端寄り部位とを相互に左右平行状態で屈伸可能に連結している。
【００１８】
後方大引５の上記先端寄り部位は、中間束柱10の上端左右より一対の舌片を後方突設したブラケット10ａ先端に枢着され、該ブラケット10ａの左右舌片間に中間束柱10に対し直角に挿通・離脱する様に回動可能と成しており、中間束柱10は後方大引５の水平状態で束柱２、３の中間となる後方大引５の先端寄り部位より下方へ直角に突出して着地し、後方大引５の直立状態で後方大引５と並列する様にブラケット10ａを介して後方大引５に連結されている。
【００１９】
前方大引４はその先端が中間束柱10間の縛貫11における前端束柱２との対向面に水平突設したブラケット13に枢着連結されている（図２、５参照）。
【００２０】
ここにブラケット13、中間束柱10上端（ブラケット10ａ）と、これらを一体連結してなる縛貫11とが前端及び後方大引４、５を屈伸させる連結部６となる。
【００２１】
そして、後方大引５にはその長さに相当する奥行きの横長矩形状の床板８をその裏面前後に複数平行配置した根太14を介して設け、前方大引４には、後方大引５との水平伸展状態で床板８の前端に該床板８と同幅にして同一平面上に連続する所定奥行きの別途床板７を前記と同様にその裏面前後に複数平行配置した根太14を介して設けている。
尚、図２では床板７、８は説明の便宜上二点鎖線で示し、根太14は説明の便宜上省略している。
【００２２】
かかる構成により、舞台１は前方大引４と後方大引５とをその連結部６で二つ折りに屈曲させて各床板７、８を裏合せに折り立て変形させた状態で、最上端となる床板８の前端に対応して格納庫Ｈの天井高さが設定され、床板８が格納庫Ｈの開口部上端の壁面Ｗと同一垂直面上に位置して前記開口部を閉塞する様に、格納庫Ｈ内に収容可能と成している（図９参照）。
【００２３】
各束柱２、３における床板７、８（大引４、５）の基端枢軸より下方には、床板７、８の折り立て状態で無負荷状態の圧縮コイルバネ15を外嵌すると共に、該圧縮コイルバネ15の一端を当止め支持するバネ受け16を基端側に設けたバネ支持杆17の基端を床板７、８の俯仰方向に揺動自在に枢着し、無負荷状態の圧縮コイルバネ15の他端に当接してバネ支持杆17の先端側を遊嵌するバネ押え18を床板７、８の適所（図示例では大引４、５裏面）に固定して成る開閉器19を設けている。
【００２４】
圧縮コイルバネ15は、内外径は同径だが、バネ定数の異なる２本以上（図示例では２本）の圧縮コイルバネ15ａ、15ｂを直列に連接して成り、各圧縮コイルバネ15ａ、15ｂの長さ及びバネ定数は適宜に設定される。
【００２５】
バネ支持杆17は、無負荷状態の圧縮コイルバネ15ａ、15ｂの直列長さよりも長い螺子棒から成り、その基端を束柱２、３において、大引４、５の基端枢軸より下方の内向面2a、3aに水平突設したブラケット20に枢着している。
又、バネ支持杆17の基端には２個のナット21、21ａを螺着すると共に、バネ支持杆17の先端側のナット21には、バネ支持杆17を挿通し、且つ外径が圧縮コイルバネ15ａ、15ｂの内径より大きい円板状のバネ受け16を当接している。
【００２６】
尚、バネ支持杆17上のナット21、21ａの移動にてバネ受け16とバネ押え18との間隔を調整でき、これにより圧縮コイルバネ15ａ、15ｂの付勢力を調整可能と成している。
【００２７】
バネ押え18は大引４、５裏面に束柱２、３の内向面2a、3aに対向する様に垂設した圧縮コイルバネ15ａ、15ｂの外径より大きい方形板であり、該方形板の中心にはバネ支持杆17のみを挿通している。
【００２８】
次に、上記舞台１に備えた収納保持装置について主に図10〜14に基づき説明する。
この収納保持装置は、舞台１の格納庫収納状態で格納庫Ｈの側壁W1に隣接する最外側（左右側）の後端束柱３の車輪3bの車軸22を円筒状に設け、該車軸22の中空部22ａに該中空部22ａより長い支軸（図示例では長尺な六角ボルト）23を摺動自在に挿通し、該支軸23は中空部22ａの外側開口部からの突出長さが中空部22ａの内側開口部から突出する支軸23適所に中空部22ａ口径より外方突設した抜止め部材（図示例では割ピン）24にて規定され、舞台１の格納庫収納状態で、支軸23の外側端部23ａに設けた抜止め鍔（図示例ではボルト頭）23ｂを中空部22ａの外側開口部端面に当止めした時に、中空部22ａの内側開口部より最長突出した支軸23の内側端部23ｃが直交係止する垂直板状の支軸受け部25を前端束柱２側適所（図示例では最外側（左右側）の前端束柱２に隣接する縛貫9b端部の後端面）より後端束柱３側へ向かって突設している。
【００２９】
又、支軸23には、その適所の直径方向に一対の極小のボールプランジャ26を出没自在に設け、該ボールプランジャ26は、支軸内側端部23ｃを中空部22ａの内側開口部より最長突出した時に、該内側開口部端面に支軸23外周面より突出するボールプランジャ26で当止めする様に成し、支軸外側端部23ａを中空部22ａの外側開口部より突出させる時には、ボールプランジャ26は若干引っ込んで中空部22ａ内周を摺接し、支軸外側端部23ａが中空部22ａの外側開口部より突出すると、支軸23におけるボールプランジャ26の装着部位が車軸22に内在する様に成している。
【００３０】
最外側の後端束柱３に隣接する縛貫9b端部の上面には、常に支軸内側端部23ｃを挿通支持する外側垂直突片27と、該外側垂直突片27と共に、支軸内側端部23ｃの最長突出時にこれを挿通支持する内側垂直突片27ａを、縛貫9bの長手方向に所定間隔を設けて平行に起立配置している。
外側及び内側垂直突片27、27ａは共に前後に長い略矩形板から成り、縛貫9b上より前端束柱２側へ指向する突端部に支軸内側端部23ｃの挿通穴を穿設している。
【００３１】
支軸受け部25は所定形状の板材から成り、その基端部が左右一対の挟持板28の先端間に配して枢着されることにより、上下揺動自在に設けられると共に、無負荷状態で水平に支持される様に水平支持手段29にて設定され、支軸23との直交係止箇所に下方開口した凹欠部25ａを形成し、先端には、舞台１の格納庫収納時に中空部22ａの内側開口部より最長突出させた支軸内側端部23ｃが後端束柱２の前進に伴って押圧摺動可能と成す様に基端へ向かって下り傾斜した斜辺25ｂを設けている。
【００３２】
尚、挟持板28の基端は、最外側の前端束柱２に隣接する縛貫9b端部の後端面に後方へ突設した支持基板30をこれに穿設した前後方向に長い長穴に挿通したボルトとナットで以て前後位置調整自在に挟着している。
【００３３】
水平支持手段29は、支軸受け部25の揺動支点25ｃ下方に床面ｆに接地可能に設けた支持脚から成り、該支持脚29は支軸受け部25の揺動支点25ｃ下方に垂設した長尺ナット29ａにボルト29ｂを螺着して高さ調整自在に設けており、長尺ナット29ａ下端にはボルト29ｂを螺挿したロックナット29ｃを配置している。
【００３４】
又、最外側の前端束柱２の外側には最外側の後端束柱３の車輪3bの当止めストッパー31を設けている。
【００３５】
当止めストッパー31は、最外側の前端束柱２外側の適宜高さ位置に基台32を配置し、該基台32の後端面に前後に長さ調節自在な螺子から成る基軸を突設し、該基軸の先端に所
定径の円盤33の中心を固着し、該円盤33の表面（車輪3bとの対向面）にゴム製の緩衝材34を貼着している。
【００３６】
上記の様に構成された壁面収納舞台１にあっては、前方大引４と後方大引５とをその連結部６で二つ折りに屈曲させた状態では、図９の如く直立する前方大引４と後方大引５とをその下方で支持している前端束柱２と後端束柱３は前後で隣接し、幕板3c上に直立する床板８が格納庫Ｈの開口部上端の壁面Ｗと同一垂直面上に位置して、その開口部を閉塞し、舞台１は格納庫Ｈ内に収容される。
【００３７】
かかる状態では、当止めストッパー31が後端束柱３の車輪3bを当止めし、抜止め鍔23ｂが中空部22ａの外側開口部端面で当止めされる様にして、車軸22の内側開口部より最長突出した支軸内側端部23ｃを前端束柱２側適所より後端束柱３側へ向かって突設した支軸受け部25の凹欠部25ａに直交係止することにより、格納庫Ｈに固定された前端束柱２側（連結部６の前方に配置される舞台１の前方構成部材1a）に、移動側の後端束柱３側（連結部６の後方に配置される舞台１の後方構成部材1b）を繋留でき、舞台１の格納庫収納状態での後端束柱３の移動（舞台後方構成部材1b）を抑止できる。
【００３８】
そして、舞台１を壁面収納状態から舞台へ変形させるには、支軸内側端部23ｃの支軸受け部25に対する直交係止状態を解除する様に、抜止め部材24が中空部22ａの内側開口部端面に当止めされるまで支軸23を外側へ引き出し、凹欠部25ａから支軸内側端部23ｃを離脱させ、支軸23の中空部22ａの外側開口部から規定長さの支軸外側端部23ａを突出させ、該支軸外側端部23ａに、図15に示す舞台伸展用の手鉤35の先端に設けたフック35ａを図14の二点鎖線で示す様に掛止して後端束柱３（舞台後方構成部材1b）を格納庫Ｈからその外側の後方へ引き出し、大引４、５を傾倒させる。
【００３９】
尚、手鉤35は、上端にハンドル35ｂを有するＴ字バー35ｃの下端に所定の鈍角を以て横長矩形板状のフック部35ｄを突設すると共に、該フック部35ｄの先端下部に下方が開放されたＣ型のフック35ａを設けたものであり、使用に際しては、舞台１左右の支軸外側端部23ｂを突出させて夫々に手鉤35のフック35ａを掛止してハンドル35ｂを以て左右同時に舞台後方構成部材1bを引き出す。
【００４０】
床板７、８とバネ支持杆17は俯仰（揺動）方向が同じであるが、夫々の回転中心を異にし、バネ支持杆17はその先端側が床板７、８の大引４、５の夫々に固定されたバネ押え18を挿通して進退可能なため床板７、８の俯仰に追従する。
【００４１】
このため、図８に示す様に床板７、８を傾倒させると、バネ押え18に対するバネ支持杆17の先端側の貫通突出長が徐々に長くなり、従ってバネ押え18とバネ受け16間の間隔が狭まって床板７、８の折り立て状態で無負荷状態で自由高さの圧縮コイルバネ15は徐々に圧縮されることで負荷が付与され、床板７、８は伸展状態となって舞台が構成される。
この舞台変形後に支軸外側端部23ａを再度内側へ押し込めば邪魔にならない。
【００４２】
又、床板７、８の傾倒中では、圧縮コイルバネ15ａ、15ｂのいずれにも同様の負荷が作用し、その負荷が小さい傾倒当初は圧縮コイルバネ15ａ、15ｂの２本のバネ定数は小さく、１本だけのときよりも縮みの割合が大きくなるため、同じ負荷しか作用させなくてもしなやかに床板７、８を傾倒させられる。
そして、床板７、８の勾配が緩やかになり負荷が極めて大きくなり、圧縮コイルバネ15ａ、15ｂのバネ定数の小さいものから順に縮まなくなると、全体のバネ定数はバネ定数の最も大きいものと同じになり大きくなり、その縮みの割合が小さくなる。
【００４３】
この様に、負荷の大きさに応じてバネ定数を変化させられ、傾倒当初は比較的スムーズに傾倒させられ、その勾配が水平に近づくと、圧縮コイルバネ15の付勢力に抗してこれを徐々に圧縮させられるため、床板７、８が急激に伸展して床面ｆに衝撃を生じさせることなく、揺動が緩やかとなり、床板７、８を良好に傾倒操作でき、安全に舞台に変形させられる。
【００４４】
そして、前方及び後方床板７、８の水平伸展状態では、前方大引４と後方大引５との連結部６と前方及び後方床板７、８の継ぎ目が位置ずれしていること、並びに前方大引４と後方大引５とは左右方向で食い違いに配置され、これらが舞台変形状態における後方床板８の前端側を受承していることから、舞台１の強度を向上できる。
【００４５】
又、舞台１の収納に際しては、支軸内側端部23ｃを中空部22ａの内側開口部より最長突出させたままで舞台１を格納庫収納のために伸展状態の床板７、８を折り立て変形させ、舞台前方構成部材1a（前端束柱２及び支軸受け部25）に向かって舞台後方構成部材1bを（後端束柱３及び支軸内側端部23ｃ）を前進させる。
【００４６】
この変形時には、圧縮状態にある圧縮コイルバネ15を床板７、８の折り立て方向へ付勢させられ、かかる圧縮コイルバネ15の付勢力によって重い床板７、８の折り立て方向に持ち上げようとする力を助勢し、軽い力で舞台を円滑に折り立て変形させられる。
【００４７】
この時、圧縮された圧縮コイルバネ15ａ、15ｂは、上記と逆の手順で伸びるので、折り立て当初は、バネ定数の最も大きいもののみによる大きい付勢力で伸びの小さいゆっくりな動作で床板７、８の傾斜を助勢でき、その勾配が増すと、圧縮コイルバネ15ａ、15ｂが伸びるため、比較的スムーズに床板７、８を直立させられ、床板７、８が前端及び後端束柱２、３上端に直立することにより、舞台１は上記の様に格納庫Ｈ内に収容される。
【００４８】
この様にして舞台１の収納変形が完了する時には、支軸内側端部23ｃが支軸受け部25先端の斜辺25ｂに触突し、該斜辺25ｂを押圧摺動しながらも前進することで支軸受け部25を上方揺動させ、支軸内側端部23ｃが凹欠部25ａに位置対応すると、支軸内側端部23ｃの押圧摺動で上方揺動していた支軸受け部25が下方へ揺動し、支持脚29が床面ｆに接地することで支軸受け部25は水平に復帰でき、凹欠部25ａ内に存する支軸内側端部23ｃと直交係止する。
これにより、上記と同様に格納庫Ｈに固定された舞台１の前方構成部材1aに後方構成部材1bを繋留でき、舞台１の格納庫収納状態での舞台後方構成部材1b（後端束柱３）の移動を抑止できる。
【符号の説明】
【００４９】
１    （壁面収納）舞台
２    前端束柱
３    後端束柱
3b    車輪
４    前方大引
５    後方大引
６    連結部
７    床板
８    床板
22    車軸
22ａ  中空部  
23    支軸
23ａ  外側端部
23ｂ  抜止め鍔
23ｃ  内側端部
24    抜止め部材
25    支軸受け部
25ａ  凹欠部
25ｂ  斜辺
25ｃ  揺動支点
29    水平支持手段（支持脚）
ｆ    床面
Ｈ    格納庫
Ｗ    壁
W1    側壁
【図１】
2019094715.tif 000003
【図２】
2019094715.tif 000004
【図３】
2019094715.tif 000005
【図４】
2019094715.tif 000006
【図５】
2019094715.tif 000007
【図６】
2019094715.tif 000008
【図７】
2019094715.tif 000009
【図８】
2019094715.tif 000010
【図９】
2019094715.tif 000011
【図１０】
2019094715.tif 000012
【図１１】
2019094715.tif 000013
【図１２】
2019094715.tif 000014
【図１３】
2019094715.tif 000015
【図１４】
2019094715.tif 000016
【図１５】
2019094715.tif 000017